(57)【要約】      （修正有）【課題】ビール缶包装箱などを山積み状態において陳列するに好適な陳列装置を提供する。【解決手段】自在車輪１３で支持させた荷台３の側端に該荷台３に載置した、ビール缶包装箱ｂを内面側にして相対する保持壁と該保持壁の両側に連結壁とを立設した台車１と、互いに重合させた前記連結壁を、互いに外面側において重合させた前記保持壁の内縁間内に存して前記一対の台車１を連結する連結材２とで構成する。また、連結材２の、前記重合させた連結壁を挟持する、一対の挟持片の相対向面の先端側に、前記連結壁の内面に設けた受止縁に係止する係止突子を設ける。【選択図】図４
2006111283.tif 000002
【特許請求の範囲】
【請求項１】
自在車輪で支持させた荷台の側端に該荷台に載置した、ビール瓶運搬ケース又はビール缶包装箱を内面側にして相対する保持壁と該保持壁の両側に連結壁とを立設した台車と、互いに重合させた前記連結壁を、互いに外面側において重合させた前記保持壁の内縁間内に存して前記一対の台車を連結する連結材とで成り、該連結材の、前記重合させた一対の連結壁を挟持する、一対の挟持片の相対向面の先端側に、前記連結壁の内面に設けた受止縁に係止する係止突子を設けた、ビール瓶運搬ケース又はビール缶包装箱の陳列装置。
【発明の詳細な説明】
【技術分野】
【０００１】
本発明は、大規模小売店でビール瓶又はビール缶を量的に一括して販売するために、該ビール瓶を運搬ケース（所謂、コンテナ）に、また、ビール缶を包装（運搬）箱に収容したまま店内に山積陳列するために用いる、ビール瓶運搬ケース又はビール缶包装箱の陳列装置に関するものである。
【背景技術】
【０００２】
ビール缶や清涼飲料缶を大量に運搬してそのまま店頭（内）において陳列するものとして、例えば、方形状のプレートの周端に上周壁と下周壁を設けて缶用トレーを構成し、該缶用トレーの前記プレート上に並べて収容したビール缶上に他の缶用トレーを載置するようにして順次積層して山積陳列するようにした構成のものがある（例えば、特許文献１）。
【０００３】
【特許文献１】特開２００３−８１２４３号公報
【発明の開示】
【発明が解決しようとする課題】
【０００４】
前記従来例は、缶用トレーによって該缶用トレー内に並べて収容（配置）したままの状態で、運搬或いは店内で陳列できるが、手先で持ち上げなければならないため、移動（運搬）に不便であり、現場において商品陳列状態をつくらなければならず、突然の陳列場所の変更にも不都合を来たし、山積みした陳列状態からの商品の減少（商品が売れることによる）により不要な缶用トレーが出てきて商品陳列上邪魔にもなる。
【０００５】
本発明は従来例の斯様な問題点を回避すべく創案したものである。
【課題を解決するための手段】
【０００６】
自在車輪で支持させた荷台の側端に該荷台に載置した、ビール瓶運搬ケース又はビール缶包装箱を内面側にして相対する保持壁と該保持壁の両側に連結壁とを立設した台車と、互いに重合させた前記連結壁を、互いに外面側において重合させた前記保持壁の内縁間内に存して前記一対の台車を連結する連結材とで成り、該連結材の、前記重合させた一対の連結壁を挟持する、一対の挟持片の相対向面の先端側に、前記連結壁の内面に設けた受止縁に係止する係止突子を設けた構成とするのである。
【発明の効果】
【０００７】
本発明によれば、店外において所要数の台車を連結し、かつ、ビール缶包装箱等を各台車の荷台上に適量積載した状態で、自在車輪を利用して店内の適所に移動させることにより直ちにビール缶包装箱等の山積み陳列状態を得られ、移動中に連結材と連結壁の組付け関係によって互いに離脱するおそれもなく、また、必要に応じて、山積み状態にした新たな台車を既存のものに連結増加し、或いは、連結材を取り外すことにより、山積み量を減らすこともできる等、店内での陳列作業時間を必要としない、しかも、陳列態様を容易に変化のできる実用的な陳列装置を提供できる。
【実施例】
【０００８】
図面は本発明に係るビール瓶運搬ケース又はビール缶包装箱の陳列装置の一実施例を示し、図１は平面図、図２は図１ｘ−ｘ拡大断面図、図３は図１ｙ−ｙ拡大断面図、図４は移動時における一部側面、図５は図４の一部拡大断面図である。
【０００９】
本発明に係る陳列装置は、所望数の、ハンドルのない台車１，…を、相隣接する台車１，１同士を一対の連結材２，２を用いて互いに連結し、台車１上にはビール瓶運搬ケース（所謂、コンテナ）やビール缶（清涼飲料缶も含む）包装箱を載置して山積状にして当該ケースや包装箱に収容したビール等を販売するために用いるものである。
【００１０】
台車１は、４隅に配した自在車輪（キャスター）１３によって受支させた平面視長方形状の荷台３（図示省略してあるがリブを設けて補強してある）の相対する一対二組の各側端に保持壁４を立設し、該保持壁４の両側に保持壁４の延長上に存するようにして連結壁５，５を立設して構成したものである。
【００１１】
保持壁４は、前記荷台１を構成する鋼板を前記側端において直角に折り曲げた立ち上り部片４ａと、該立ち上り部片４ａの上端を内面側方向に湾曲状に折り曲げて連設し、荷台１の内側方向に部分的に突出するスペーサ部片４ｂとで構成し、荷台１上に載置したビール缶包装箱（ビール缶が多数本詰め込まれた）ｂ（或いは運搬ケース）に相対し、スペーサ部片４ｂの内端が該包装箱ｂに接してこれを荷台１上に保持するようにしてある。
【００１２】
前記連結壁５は保持壁４と同様に、荷台１を構成する鋼板を前記側端において直角に折り曲げた立ち上り部片５ａと、該立ち上り部片５ａの、上端内面方向に折り曲げて立ち上り部片５ａに重合させた重合部片５ｂとで成り、重合部片５ｂの下端縁を受止縁６としたもので、内端縁（重合部片５ｂ）を前記保持壁４の内端（スペーサ部片４ｂ）の内端より外側（荷台１）に存するようにして、この連結壁５を挟持させて内側に重ね合わせる前記連結材２の挟持片７が、各壁４，５の立ち上り部片４ａ，５ａと前記包装箱ｂとの間に保持壁４側のスペーサ部片４ｂの存在によって形成される間隙１０内に納まるようにしてある。
【００１３】
前記連結材２は、中央部片２ａの両側に前記挟持片７，７を相対して連設し、先端に至るに従って、漸次互いに近接させた挟持片７，７の先端内側に係止突子１１を設けて構成し、硬質合成樹脂を素材としたものである。
【００１４】
しかして、一対の台車１，１の荷台３の長辺部（又は短辺部）側同士を互いに隣接させ、相隣接させて並べた連結壁５，５を、挟持片７，７間に相対的に嵌装するようにして連結材２の前記挟持片７，７で該連結壁５，５を挟持させると、前記一対の台車１，１は互いに連結され、該台車１の荷台３上にビール包装箱ｂを載置し、適量積層することにより、包装箱ｂの陳列状態を得られ、該陳列状態のまま店外から店内の適所に自在車輪１３の転動を利用して移動させることにより、店内での山積み作業などの陳列作業をする必要がなく、商品陳列を行うことができるのである。
【００１５】
また、前記移動中、床面の段差のある個所においては、連結材２の挟持片７，７で挟持された一対の台車１，１（荷台３，３）の連結壁５，５は、受止縁６と係止突子１１の係止関係によって互いに離脱することなく、従って、多少の段差はそれを吸収して連結状態を維持したまま移動することができるのである。
【図面の簡単な説明】
【００１６】
【図１】平面図。
【図２】図１ｘ−ｘ拡大断面図。
【図３】図１ｙ−ｙ拡大断面図。
【図４】移動時における一部側面。
【図５】図４の一部拡大断面図。。
【符号の説明】
【００１７】
１      台車
２      連結材
３      荷台
４      保持壁
５      連結壁
６      受止縁
７      挟持片
１１    係止突子
【図１】
2006111283.tif 000003
【図２】
2006111283.tif 000004
【図３】
2006111283.tif 000005
【図４】
2006111283.tif 000006
【図５】
2006111283.tif 000007